(57)【特許請求の範囲】
【請求項１】
複数の冷却装置間の除霜同期配線接続を可能にした配線装置であって、各冷却装置が前記配線装置を備える冷却装置の除霜同期配線構造において、各配線装置は一対の電源線と、除霜同期出力手段及び入力手段と、前記電源線間に接続された第一カプラ及び第二カプラとを備え、第一カプラはダミーカプラを連結自在に備え、このダミーカプラと第一カプラとの連結時には一方の電源線が除霜同期出力手段及び入力手段を経て他方の電源線に導通可能に構成され、前記第二カプラは別の冷却装置の第一カプラに連結自在であり、除霜同期配線接続時には別の冷却装置の第一カプラからダミーカプラを離脱して当該第一カプラにこの第二カプラを接続し、この第一カプラに第二カプラを接続した場合、別の冷却装置では自己の電源線から自己の出力手段及び入力手段への電源供給を遮断し、第二カプラを通じて電源供給することを特徴とする冷却装置の除霜同期配線構造。
【請求項２】
前記ダミーカプラは各冷却装置に固定されたことを特徴とする請求項１記載の冷却装置の除霜同期配線構造。
【発明の詳細な説明】
【０００１】
【発明の属する技術分野】
本発明は、複数の冷却装置間の除霜同期配線接続を可能にした配線装置を備えた冷却装置の除霜同期配線構造に関する。
【０００２】
【従来の技術】
一般に、複数の冷却装置（例えば低温ショーケース）間の除霜同期配線接続を可能にした配線装置であって、各冷却装置が該配線装置を備える冷却装置の除霜同期配線構造が知られている。
【０００３】
図６は従来の除霜同期配線接続構造を示す。
【０００４】
符号５１、５２はそれぞれ除霜同期配線接続が可能な低温ショーケースを示し、各ショーケース５１、５２は、交流電源（２００Ｖ）の一方の電源線６１ａに接続された第一電源カプラ６２と、この第一電源カプラ６２に連結自在な第一ダミーカプラ６３と、他方の電源線６１ｂに接続された第二電源カプラ６４と、この第二電源カプラ６４に連結自在な第二ダミーカプラ６５と、これら第一電源カプラ６２と第二電源カプラ６４の間に直列に接続された除霜同期出力スイッチ６６及び除霜同期出力リレー６７とを備える。除霜同期出力スイッチ６６は例えば除霜運転時に閉じるスイッチであり、除霜同期出力リレー６７は通電時に例えば除霜ヒータ（図示せず）等に通電を行うためのリレーである。また、各ショーケース５１、５２は、第一電源カプラ６２と除霜同期出力スイッチ６６の間、この除霜同期出力スイッチ６６と除霜同期出力リレー６７の間、この除霜同期出力リレー６７と第二電源カプラ６４の間に接続される第一除霜同期カプラ７１と、この第一除霜同期カプラ７１と同様の配線構造の第二除霜同期カプラ７２とを備える。
【０００５】
除霜同期配線接続されていない場合には、各ショーケース５１、５２において、前記第一電源カプラ６２に第一ダミーカプラ６３が連結されると共に、第二電源カプラ６４に第二ダミーカプラ６５が連結され、前記一方の電源線６１ａから除霜同期出力スイッチ６６及び除霜同期出力リレー６７を介して他方の電源線６１ｂに導通可能に構成される。
【０００６】
除霜同期配線接続する場合には、親機設定されたショーケース（以下、親ケースという）５１の第二除霜同期カプラ７２を子機設定されたショーケース（以下、子ケースという）５２の第一除霜同期カプラ７１に連結すると共に、子ケース５２の第一ダミーカプラ６３及び第二ダミーカプラ６５が抜かれる。
【０００７】
除霜同期配線接続されたショーケース５１、５２では、親ケース５１が自己の除霜同期出力スイッチ６６を閉じたときに、両方のショーケース５１、５２の除霜同期出力リレー６７が通電されて同期除霜運転が行われる。
【０００８】
【発明が解決しようとする課題】
しかしながら、上述したショーケース５１、５２では、除霜同期配線接続時に子ケース５２の第一ダミーカプラ６３又は／及び第二ダミーカプラ６５を抜き忘れると誤配線となり、ショーケースの誤動作等が発生する虞がある。
【０００９】
本発明の目的は、上述した従来の技術が有する課題を解消し、ダミーカプラの抜き忘れを防止できる冷却装置の除霜同期配線構造を提供することにある。
【００１０】
【課題を解決するための手段】
請求項１記載の発明は、複数の冷却装置間の除霜同期配線接続を可能にした配線装置であって、各冷却装置が前記配線装置を備える冷却装置の除霜同期配線構造において、各配線装置は一対の電源線と、除霜同期出力手段及び入力手段と、前記電源線間に接続された第一カプラ及び第二カプラとを備え、第一カプラはダミーカプラを連結自在に備え、このダミーカプラと第一カプラとの連結時には一方の電源線が除霜同期出力手段及び入力手段を経て他方の電源線に導通可能に構成され、前記第二カプラは別の冷却装置の第一カプラに連結自在であり、除霜同期配線接続時には別の冷却装置の第一カプラからダミーカプラを離脱して当該第一カプラにこの第二カプラを接続し、この第一カプラに第二カプラを接続した場合、別の冷却装置では自己の電源線から自己の出力手段及び入力手段への電源供給を遮断し、第二カプラを通じて電源供給することを特徴とするものである。
【００１１】
この発明によれば、除霜同期配線接続時には別の冷却装置の第一カプラからダミーカプラを離脱して当該第一カプラにこの第二カプラを接続するので、ダミーカプラを離脱しなければ第一カプラに第二カプラを接続できず、ダミーカプラの抜き忘れを防止できる。
【００１２】
請求項２記載の発明は、請求項１記載の発明において、前記ダミーカプラは各冷却装置に固定されたことを特徴とするものである。
【００１３】
この発明によれば、ダミーカプラは各冷却装置に固定されたので、第二カプラからダミーカプラを離脱させた時のダミーカプラの紛失を防止できる。
【００１４】
【発明の実施の形態】
以下、本発明の実施の形態を図面に基づいて説明する。
【００１５】
図１において、符号Ｓは催事用の低温ショーケース（冷却装置）を示し、このショーケースＳの上面には開口２が形成され、この開口２の下方には商品が陳列される貯蔵室３が形成される。この貯蔵室３の周囲には断面コ字状の冷気通路４が形成され、この冷気通路４には冷却器用送風機５及び冷却器６が設置され、冷却器６には除霜運転時に通電される除霜ヒータ７が取り付けられる。また、貯蔵室３及び冷気通路４は一対の長側壁８と一対の短側壁９（図１では一方の短側壁９のみを示す）と底壁１０とに囲まれ、これら長側壁８、短側壁９、底壁１０の内部には断熱材が充填されている。
【００１６】
ショーケースＳの下半部には、図１に示すように、機械室１１が設けられ、この機械室１１には凝縮器１２、凝縮器用送風機１３、圧縮機１４、電装箱１５等が設けられ、電装箱１５にはショーケースＳの制御を司る制御部（図示せず）や冷却運転、除霜運転の継続時間を計時する除霜タイマ（図示せず）が内蔵される。符号１６はショーケースＳの移動を容易にするキャスタを示す。
【００１７】
冷却運転時には、圧縮機１４から吐出されたガス冷媒が凝縮器３で凝縮して液冷媒に変化し、この液冷媒は冷却器６に送られ、冷却器６内で蒸発する。このとき冷媒が蒸発熱を奪うので、冷却器６とその周囲の空気が冷却され、この冷却空気が冷却器用送風機５によって点線矢印方向に循環して貯蔵室３が冷却される。この冷却運転時には、冷却器６の温度が０℃以下に低下するので、冷却器６に霜が付着して蓄積する。
【００１８】
この冷却器６に蓄積した霜を除去するために除霜運転が定期的に行われ、除霜運転時には、圧縮機１４の運転が停止されると共に除霜ヒータ７に通電されて通電ヒータ７の温度が上昇し、冷却器６の霜が解凍される。
【００１９】
また、ショーケースＳの貯蔵室３に陳列する商品量が多い場合には、図２に示すように、接続面となる側板９を取り外して複数台のショーケースＳ１〜Ｓ３（ショーケースＳと同構成）を接続して、貯蔵室３の容量を増大させることができる。
【００２０】
次に、接続されたショーケースＳ１〜Ｓ３の除霜同期接続構造について説明する。
【００２１】
接続されたショーケースＳ１〜Ｓ３は、自己及び他のショーケースの除霜運転を制御する親ケースとなるか、他のショーケースから自己の除霜運転が制御される子ケースとなるかを選択する選択スイッチ（図示せず）を備える。
【００２２】
各ショーケースＳ１〜Ｓ３は、図５に示すように、ショーケース間の除霜同期配線接続を可能にする配線装置２１を備え、各配線装置２１は、交流電源（２００Ｖ）に接続された一対の電源線２２ａ、２２ｂと、除霜同期出力スイッチ（除霜同期出力手段）２３と、除霜同期入力リレー（除霜同期入力手段）２４と、電源線２２ａ、２２ｂに接続される第一カプラ２５と、この第一カプラ２５に連結自在なダミーカプラ２６と、第二カプラ２７とを備える。尚、各カプラ２５、２６、２７は第１〜第６の端子部を備える。
【００２３】
第一カプラ２５の第６、第４端子部はそれぞれ電源線２２ａ、２２ｂに接続され、第一カプラ２５及び第二カプラ２７の第３、第１端子部の間には除霜同期出力スイッチ２３と除霜同期入力リレー２４とが直列に接続され、第一カプラ２５及び第二カプラ２７の第２端子部は除霜同期出力スイッチ２３と除霜同期出力リレー２４の間に接続される。
【００２４】
除霜同期配線接続されていない時には、各ショーケースＳ１〜Ｓ３では、第一カプラ２５にダミーカプラ２６が連結されており、このダミーカプラ２６によって第一カプラ２５の第６、第４端子部が該第一カプラ２５の第３、第１端子部にそれぞれ接続され、各ショーケースＳ１〜Ｓ３の一方の電源線２２ａが除霜同期出力スイッチ２３及び除霜同期入力リレー２４を経て他方の電源線２２ｂに導通可能に構成され、除霜同期出力スイッチ２３が閉じられたときには除霜同期出力リレー２４に通電される。尚、第一カプラ２５、ダミーカプラ２６、第二カプラ２７は、図３に示すように、各ショーケースＳ１〜Ｓ３の機械室１１に設けられる。また、ダミーカプラ２６には第一カプラ２５からの離脱を容易にするための紐２８が設けられる。
【００２５】
除霜同期配線接続する時には、図５に示すように、前記した選択スイッチによって、いずれかのショーケース（以下ではショーケースＳ１）を親ケースに設定し、それ以外のショーケース（以下ではショーケースＳ２、Ｓ３）を子ケースに設定する。子ケースＳ２、Ｓ３の制御装置は、除霜運転のタイミングを判定せず、除霜同期出力スイッチ２３が常に開かれた状態となる。そして、図４にも示すように、子ケースＳ２、Ｓ３のダミーカプラ２６を離脱し、親ケースＳ１の第二カプラ２７を子ケースＳ２の第一カプラ２５に接続し、子ケースＳ２の第二カプラ２７を子ケースＳ３の第一カプラ２５に接続する。このとき、第一カプラ２５のダミーカプラ２６が嵌め込まれていた位置に第二カプラ２７が嵌め込まれるので、ダミーカプラ２６を抜かなければ第二カプラ２７を第一カプラ２５に嵌め込むことができない。また、子ケースＳ２、Ｓ３ではダミーカプラ２６が抜かれることにより、自己の電源線２２ａ、２２ｂから自己の除霜同期出力スイッチ２３及び除霜同期入力リレー２４への電源供給が遮断され、親ケースＳ１の第二カプラ２７を通じて電源の供給が行われる。
【００２６】
除霜同期接続されたショーケースＳ１〜Ｓ３で冷却運転が開始されてから所定時間（例えば１０時間）経過したとき、すなわち親ケースＳ１の制御部が除霜タイマによる計時時間が所定の冷却運転時間に至ったと判定したとき、親ケースＳ１の制御部は除霜同期出力スイッチ２３を閉じる。このとき、親ケースＳ１の第一カプラ２５及びこれに嵌め込まれたダミーカプラ２６を通じて、全てのショーケースＳ１〜Ｓ３の除霜同期出力リレー２４に通電が行われて、各ショーケースＳ１〜Ｓ３の圧縮機１４が停止されると共に各ショーケースＳ１〜Ｓ３の除霜ヒータ７が通電され、全てのショーケースＳ１〜Ｓ３で同期して除霜運転が開始される。この同期除霜運転が開始されると、親ケースＳ１の制御部の除霜タイマ（図示せず）がリセットされて除霜運転時間の計時が開始される。
【００２７】
親ケースＳ１の制御部は、除霜タイマによる計時時間が所定の除霜運転時間を経過したことを検知すると、親ケースＳ１の除霜同期出力スイッチ２３を開く。このとき、全てのショーケースＳ１〜Ｓ３の除霜同期出力リレー２４への通電が停止されて、全てのショーケースＳ１〜Ｓ３の圧縮機１４の運転が開始されると共に全てのショーケースＳ１〜Ｓ３の除霜ヒータ７への通電が停止され、ショーケースＳ１〜Ｓ３で冷却運転が開始される。
【００２８】
この実施形態では、除霜同期配線接続時に、子ケースＳ２、Ｓ３の第一カプラ２５に嵌め込まれたダミーカプラ２６を抜かなければ、第二カプラ２７を第一カプラ２５に連結できないので、ダミーカプラ２６の抜き忘れが防止される。したがって、このダミーカプラ２６の抜き忘れによる誤配線、誤動作が防止され、除霜同期配線の安全性を向上できる。また、第一カプラ２５は電源供給を遮断するカプラと除霜同期配線接続に用いられるカプラとを統合しているので、除霜同期配線を簡略化することができる。
【００２９】
別の実施形態として、各ショーケースＳ１〜Ｓ３のダミーカプラ２６を例えば機械室１１の内壁面に固定してもよい。この場合、除霜同期配線接続時に第一カプラ２５から離脱したダミーカプラ２６の紛失を防止することができる。
【００３０】
以上、一実施の形態に基づいて本発明を説明したが、本発明はこれに限定されるものではない。本実施形態では、冷却運転が所定時間継続されたときに親ケースＳ１の制御部によって除霜同期出力スイッチ２３が閉じられるが、冷却器７の目詰まりを検知したときに除霜同期出力スイッチ２３が閉じられるように構成してもよい。
【００３１】
【発明の効果】
請求項１記載の発明によれば、除霜同期配線接続時には別の冷却装置の第一カプラからダミーカプラを離脱して当該第一カプラにこの第二カプラを接続するので、ダミーカプラを離脱しなければ第一カプラに第二カプラを接続できず、ダミーカプラの抜き忘れを防止できる。
【００３２】
請求項２記載の発明によれば、ダミーカプラは各冷却装置に固定されたので、第二カプラからダミーカプラを離脱させた時のダミーカプラの紛失を防止できる。
【図面の簡単な説明】
【図１】ショーケースの内部構造を示す縦断面図である。
【図２】連結された３台のショーケースを示す上面図である。
【図３】除霜同期配線接続前の連結された３台のショーケースを示す側面図である。
【図４】除霜同期配線接続後の連結された３台のショーケースを示す側面図である。
【図５】本発明の本実施形態によるショーケースの除霜同期配線構造を示す配線図である。
【図６】従来のショーケースの除霜同期配線構造を示す配線図である。
【符号の説明】
Ｓ  ショーケース
Ｓ１  親ケース
Ｓ２、Ｓ３  子ケース
２１  配線装置
２２ａ、２２ｂ  電源線
２３  除霜同期出力スイッチ
２４  除霜同期入力リレー
２５  第一カプラ
２６  ダミーカプラ
２７  第二カプラ
【図１】
0003762563.tif 000002
【図２】
0003762563.tif 000003
【図３】
0003762563.tif 000004
【図４】
0003762563.tif 000005
【図５】
0003762563.tif 000006
【図６】
0003762563.tif 000007